(57)【特許請求の範囲】
【請求項１】
設備機器の排水口と接続し、該設備機器からの排水が流入する第一流入口と、
他の設備機器からの排水が流入する第二流入口と、
上記第一流入口及び第二流入口から流入した排水を溜めて封水を形成する封水部と、
封水部を溢れ出た排水を下水等に排出する流出口と、
前記第二流入口の近傍に取り付けられ、弁体の開閉動作によって第二流入口裏面の当接部に当接し、排水の逆流を防止する逆流防止装置と、
からなる排水装置であって、
前記当接部が水平方向に対して傾斜する傾斜面として設けられ、
前記傾斜面下端から封水水面までの幅よりも前記弁体の開閉幅の方が幅広に形成されていることを特徴とする排水装置。
【請求項２】
設備機器の排水口と接続し、該設備機器からの排水が流入する第一流入口と、
他の設備機器からの排水が流入する第二流入口と、
上面に第二流入口を備えた蓋体と、
上記第一流入口及び第二流入口から流入した排水を溜めて封水を形成する封水部と、
封水部を溢れ出た排水を下水等に排出する流出口と、
前記第二流入口の近傍に取り付けられ、弁体の開閉動作によって第二流入口裏面の当接部に当接し、排水の逆流を防止する逆流防止装置と、
からなる排水装置であって、
前記第二流入口上端が前記第一流入口よりも上方に配置されるように、
第二流入口が水平方向に対して傾斜すると共に、
第二流入口は蓋体の上面に対して上方に向けて傾斜して開口していることを特徴とする排水装置。
【請求項３】
設備機器の排水口と接続し、該設備機器からの排水が流入する第一流入口と、
他の設備機器からの排水が流入する第二流入口と、
上記第一流入口及び第二流入口から流入した排水を溜めて封水を形成する封水部と、
封水部を溢れ出た排水を下水等に排出する流出口と、
前記第二流入口の近傍に取り付けられ、弁体の開閉動作によって第二流入口裏面の当接部に当接し、排水の逆流を防止する逆流防止装置と、
からなる排水装置であって、
前記第二流入口上端が前記第一流入口よりも上方に配置されるように、
第二流入口が水平方向に対して傾斜して設けられ、
更に当接部が水平方向に対して傾斜する傾斜面として設けられ、前記傾斜面下端から封水水面までの幅よりも前記弁体の開閉幅の方が幅広であることを特徴とする排水装置。
【請求項４】
前記設備機器は槽体であって、
前記他の設備機器は上記槽体が載置された防水パンであって、
前記第二流入口は該槽体の下方に配置されており、
前記第一流入口から当接部上端までの幅が、第一流入口上端から第一流入口上方に設けられた槽体までの幅以下であることを特徴とする請求項１乃至請求項３のいずれか１つに記載の排水装置。
【請求項５】
前記逆流防止装置は、下流側からの逆流が生じた時のみ閉弁状態を維持することを特徴とする請求項１乃至請求項４のいずれか１つに記載の排水装置。
【請求項６】
前記弁体の上端側が第二流入口の近傍に固定されていることを特徴とする請求項１乃至請求項５のいずれか１つに記載の排水装置。
【請求項７】
前記弁体の下端側が第二流入口の近傍に固定されていることを特徴とする請求項１乃至請求項５のいずれか１つに記載の排水装置。
【請求項８】
前記弁体が弾性体より構成されていることを特徴とする請求項１乃至請求項７のいずれか１つに記載の排水装置。
【請求項９】
前記逆流防止装置が、前記弁体の開閉幅を規制する為の規制機構を有することを特徴とする請求項１乃至請求項８のいずれか１つに記載の排水装置。
【請求項１０】
前記第二流入口の下端が前記第一流入口よりも低く、且つ第二流入口の上端が第一流入口よりも高い位置に配置されていることを特徴とする請求項１乃至請求項９に記載の排水装置。
【発明の詳細な説明】
【技術分野】
【０００１】
本発明は、浴槽や浴室の、使用により排水が発生する設備機器から排出された排水を、更に下流側の配管へと排出する排水装置に関するものである。
【背景技術】
【０００２】
従来の、浴槽や浴室等、使用により排水が発生する設備機器に接続される排水装置は以下のようであった。
図１６に示す従来の設備機器は浴槽、浴槽パン、洗い場、洗い場パンより構成される。又、当該設備機器の下流側には排水装置としての排水トラップが接続されている。
上記排水トラップは浴槽、浴槽パン、洗い場（洗い場パン）からの排水が流入する流入口をそれぞれ有し、又、流路中に「封水」と呼ばれる内部に排水が貯留される部分が設けられている（以下、「封水部」）。そして、上記排水トラップは、当該封水部を臭気や害虫類が通過できないことを利用して下水側からの臭気や害虫類が屋内側に進入することを防止する機能（以下、「トラップ機能」）を備えている。
しかし、上記排水トラップは、浴槽、浴槽パン、洗い場から流入する排水の流路が排水トラップ内で合流する構造である為、浴槽や洗い場等から大量の排水が排水トラップ内に流入した場合、当該排水の一部が流入した流入口以外の流入口より逆流して溢れ出ることがある。
尚、当該逆流は特に浴槽パンの排水が流入する流入口において生じ易い。
そこで、通常、浴槽パンの排水が流入する流入口には、逆流防止装置と呼ばれる装置が取り付けられている。
図１６に示す逆流防止装置は、比重が１より軽い材質から成る弁体を備え、ガイド部をその軸とする弁体の上下動によって流入口を開閉し、排水の逆流を防止する。上記逆流防止装置は、逆流防止装置上に排水が発生しておらず、且つ、下流側より逆流水が生じていない状態（以下、「平時」）においては弁体がその自重により降下しており、浴槽パン上に生じた排水を流入口より下流側へ流入させる。一方、弁体の下流側より逆流水が発生した場合、弁体が逆流水に伴って上昇し、弁体が浴槽パンの流入口を水密的に閉塞する。図１６に示す逆流防止装置は当該閉塞によって、逆流水が浴槽パン上に溢れ出ることを防ぐ構造となっている。
又、図１７に示す逆流防止装置は、ゴム等の軟質材より成る板状の弁体を備え、該弁体の一端が流入口の裏側に固定されている。当該逆流防止装置では、浴槽パン上に排水が生じた場合、排水の重さによって弁体が下方に折り曲がり、排水を下流側へ流入させる。一方、下流側より逆流水が発生した場合、弁体は該逆流水に伴い、流入口に押しつけられて流入口を水密に閉塞し、逆流水が浴槽パン上に溢れ出ることを防ぐ構造となっている。
【先行技術文献】
【特許文献】
【０００３】
【特許文献１】特開２００１−１０７４１２号公報
【特許文献２】特開２０００−０２７２５５号公報
【発明の概要】
【発明が解決しようとする課題】
【０００４】
ところで、近年、高齢者や子どもが浴槽内に入りやすいように、浴槽の深さを変更せずに浴槽の跨ぎ込み高さを低くする等の理由により、床下空間の低床化が進められている。そして、当該低床化に伴い、排水装置も低床化に対応し、高さを低くした構造のものが求められている。
【０００５】
しかし、排水トラップは封水性能を確保する目的で、封水高さが一定以上必要とされている。その為、排水トラップを低床化に対応させる構造とした場合、逆流防止装置と封水水面の幅が狭くなる。そして、当該幅が一定以上狭くなってしまった場合、図１６に示した逆流防止装置においては、常に弁体が封水に押し上げられて流入口を閉塞した状態となってしまい、浴槽パン上の排水が下流側へと流入出来ないという問題が生じた。又、図１７に示した逆流防止装置においても、平時において弁体が封水に浸ってしまい、上方に排水が発生しても弁が良好に開かない、という問題が生じた為、一定以上の低床化を行うことが難しかった。
【０００６】
そこで、本発明においては上記問題を踏まえ、低床化に対応しつつ好適な動作を行う逆流防止装置を備えた排水装置を提供することを課題とする。
【０００７】
上記課題を解決する為の請求項１に記載の本発明は、設備機器の排水口と接続し、該設備機器からの排水が流入する第一流入口と、
他の設備機器からの排水が流入する第二流入口と、
上記第一流入口及び第二流入口から流入した排水を溜めて封水を形成する封水部と、
封水部を溢れ出た排水を下水等に排出する流出口と、
前記第二流入口の近傍に取り付けられ、弁体の開閉動作によって第二流入口裏面の当接部に当接し、排水の逆流を防止する逆流防止装置と、
からなる排水装置であって、
前記当接部が水平方向に対して傾斜する傾斜面として設けられ、
前記傾斜面下端から封水水面までの幅よりも前記弁体の開閉幅の方が幅広に形成されていることを特徴とする排水装置である。
【０００８】
請求項２に記載の本発明は、設備機器の排水口と接続し、該設備機器からの排水が流入する第一流入口と、
他の設備機器からの排水が流入する第二流入口と、
上面に第二流入口を備えた蓋体と、
上記第一流入口及び第二流入口から流入した排水を溜めて封水を形成する封水部と、
封水部を溢れ出た排水を下水等に排出する流出口と、
前記第二流入口の近傍に取り付けられ、弁体の開閉動作によって第二流入口裏面の当接部に当接し、排水の逆流を防止する逆流防止装置と、
からなる排水装置であって、
前記第二流入口上端が前記第一流入口よりも上方に配置されるように、
第二流入口が水平方向に対して傾斜すると共に、
第二流入口は蓋体の上面に対して上方に向けて傾斜して開口していることを特徴とする排水装置である。
【０００９】
請求項３に記載の本発明は、設備機器の排水口と接続し、該設備機器からの排水が流入する第一流入口と、
他の設備機器からの排水が流入する第二流入口と、
上記第一流入口及び第二流入口から流入した排水を溜めて封水を形成する封水部と、
封水部を溢れ出た排水を下水等に排出する流出口と、
前記第二流入口の近傍に取り付けられ、弁体の開閉動作によって第二流入口裏面の当接部に当接し、排水の逆流を防止する逆流防止装置と、
からなる排水装置であって、
前記第二流入口上端が前記第一流入口よりも上方に配置されるように、
第二流入口が水平方向に対して傾斜して設けられ、
更に当接部が水平方向に対して傾斜する傾斜面として設けられ、前記傾斜面下端から封水水面までの幅よりも前記弁体の開閉幅の方が幅広であることを特徴とする排水装置である。
【００１０】
請求項４に記載の本発明は、前記設備機器は槽体であって、
前記他の設備機器は上記槽体が載置された防水パンであって、
前記第二流入口は該槽体の下方に配置されており、
前記第一流入口から当接部上端までの幅が、第一流入口上端から第一流入口上方に設けられた槽体までの幅以下であることを特徴とする請求項１乃至請求項３のいずれか１つに記載の排水装置である。
【００１１】
請求項５に記載の本発明は、前記逆流防止装置は、下流側からの逆流が生じた時のみ閉弁状態を維持することを特徴とする請求項１乃至請求項４のいずれか１つに記載の排水装置である。
【００１２】
請求項６に記載の本発明は、前記弁体の上端側が第二流入口の近傍に固定されていることを特徴とする請求項１乃至請求項５のいずれか１つに記載の排水装置である。
【００１３】
請求項７に記載の本発明は、前記弁体の下端側が第二流入口の近傍に固定されていることを特徴とする請求項１乃至請求項５のいずれか１つに記載の排水装置である。
【００１４】
請求項８に記載の本発明は、前記弁体が弾性体より構成されていることを特徴とする請求項１乃至請求項７のいずれか１つに記載の排水装置である。
【００１５】
請求項９に記載の本発明は、前記逆流防止装置が、前記弁体の開閉幅を規制する為の規制機構を有することを特徴とする請求項１乃至請求項８のいずれか１つに記載の排水装置である。
【００１６】
請求項１０に記載の本発明は、前記第二流入口の下端が前記第一流入口よりも低く、且つ第二流入口の上端が第一流入口よりも高い位置に配置されていることを特徴とする請求項１乃至請求項９に記載の排水装置である。
【発明の効果】
【００１７】
上記請求項１乃至請求項３に記載の本発明においては、従来の排水装置よりも封水水面を上昇させたとしても逆流防止装置が好適に作動する為、低床化に対応させることが可能がとなる。
請求項４に記載の本発明においては、傾斜面の高さ幅が第一流入口から槽体までに収まる為、第二流入口等を傾斜させたことが低床化の妨げにならない。
請求項５に記載の本発明においては、排水や汚れ等によって逆流防止装置が閉弁状態のまま固まってしまうことを防ぐ。
請求項６及び請求項７に記載の本発明においては、逆流防止装置の構造を明確化させることが出来る。
請求項８に記載の本発明においては、弁体の構造を明確化させることが出来る。
請求項９に記載の本発明においては、弁体の開閉幅を規制することによって、弁体が排水に浸ることを防ぐ。
請求項１０に記載の本発明においては、第二流入口の構造について明確化することが出来る。
【００１８】
尚、本願における「弁体の開閉幅」とは、「弁体の開閉動作が可能な幅」を指すものである。
【図面の簡単な説明】
【００１９】
【図１】本発明の施工状態を示す断面図である。
【図２】本発明の浴槽側を示す要部拡大断面図である。
【図３】本発明の目皿を示す斜視図である。
【図４】本発明の弁体を示す斜視図である。
【図５】(a)弁体の開閉幅を示す断面図(b)傾斜面下端から封水高さまでの幅を示す断面図である。
【図６】本発明の洗い場パン側を示す要部拡大断面図である。
【図７】本発明の逆流防止装置の開弁状態を示す断面図である。
【図８】本発明の逆流防止装置の閉弁状態を示す断面図である。
【図９】本発明の第二実施形態に係る浴槽側を示す要部拡大断面図である。
【図１０】本発明の第二実施形態に係る(a)弁体の開閉幅を示す断面図(b)傾斜面下端から封水高さまでの幅を示す断面図である。
【図１１】本発明の第二実施形態に係る目皿を示す斜視図である。
【図１２】本発明の第三実施形態に係る目皿を示す斜視図である。
【図１３】本発明の第四実施形態に係る逆流防止装置を示す断面図である。
【図１４】本発明の第五実施形態に係る逆流防止装置を示す断面図である。
【図１５】本発明の第六実施形態に係る逆流防止装置を示す断面図である。
【図１６】従来例を示す断面図である。
【図１７】従来例を示す断面図である。
【発明を実施するための形態】
【００２０】
以下、図面を参照しながら本発明の排水装置を説明する。尚、以下に記載する説明は実施形態の理解を容易にする為のものであり、これによって発明が制限して理解されるものではない。又、特に断りの無い限り、図１の設置状態を基準として上下左右を説明する。
【００２１】
図１に示すように、本発明の排水装置としての排水トラップ１は、以下に記載する設備機器としての浴槽Ｂ、浴槽パンPB、洗い場パンPAに取り付けられ、各設備機器の使用により発生した排水を下流側へと排出する。
【００２２】
浴槽Ｂは、内部に水を貯留可能な槽体であって、且つ当該貯留した水を外部に排出するための浴槽排水口５０を底面に形成している。
浴槽排水口５０には排水栓５４、水密管５５が取り付けられており、後述する第一流入口１１と接続されている。
排水栓５４は上端にフランジ部分を有する略円筒状の部材であって、外周に雄螺子が形成されている。
水密管５５は内部に雌螺子が形成されており、上記排水栓５４と浴槽Ｂを介して螺合している。又、水密管５５は下方がゴム等の弾性部材により成るジャバラ状に形成されており、後述する排水トラップ１の第一流入口１１と水密に接続されている。
尚、浴槽Ｂの使用によって生じた排水は上記浴槽排水口５０より排出され、後述する第一流入口１１より排水トラップ１内へと流入する。
【００２３】
浴槽パンPBは上記浴槽Ｂが配置されている防水パンであり、浴槽パンPB上に発生した排水を排出する為の浴槽パン排水口５１を有する。浴槽パン排水口５１より排出される排水は、後述する第二流入口１２より排水トラップ１内へと流入する。
【００２４】
洗い場パンPAは洗い場Aの床面であって、シャワー等の使用によって生じた排水を排出する為の洗い場パン排水口５２を有する。洗い場パン排水口５２より排出される排水は、後述する第三流入口２６より排水トラップ１内へと流入する。
【００２５】
排水トラップ１は、大きく分けてエルボ部材３、トラップ本体２５より構成される。
【００２６】
図２に示すように、エルボ部材３は開口部４、枝管流出口５を備えている。
開口部４はエルボ部材３上方に設けられており、内周に雌螺子が形成され、フランジ部材６及び目皿７が取り付けられている。
枝管流出口５は後述するトラップ本体２５の枝管流入口２８と、接着その他の方法によって連結している。従って、エルボ部材３内に流入した排水は全て該枝管流入口２８を通り、トラップ本体２５内に流入する。
フランジ部材６は浴槽パンPBの上方から取り付けられる円筒状の部材であって、外周に雄螺子を有し、浴槽パンPBを介して開口部４と螺合している。
【００２７】
図２及び図３に示すように、目皿７は上記フランジ部材６に取り付けられる円筒状の蓋部材であって、突出部１０、第一流入口１１、第二流入口１２、弁体１３より構成される。
突出部１０は図２に示す側面視のように、目皿７上面が略三角形状に上方に突出し、傾斜して形成されている。そして、当該突出部１０の傾斜面には後述する第二流入口１２が開口している。又、突出部１０は後述する弁体１３の固定部１５が挿通される孔１７を２箇所備えている。
第一流入口１１は目皿７上面の開口部分であって、水平に設けられており、当該第一流入口１１より前記浴槽Ｂの底面に設けられた浴槽排水口５０からの排水がエルボ部材３内に流入する。又、第一流入口１１の裏面より筒状部１８が垂下している。第一流入口１１は浴槽Ｂが載置された際、前記水密管５５のジャバラ状部分と連結し、該ジャバラ状部分によって浴槽排水口５０と水密に連続する。（尚、本実施形態においては、後述する施工手順や部材構成の関係上より第一流入口は形成される。）
第二流入口１２は前記浴槽パンPBからの排水が流入する目皿７上面の開口部分であって、突出部１０下端より上方に向かって開口されている。又、第二流入口１２の下端は目皿７上面の内、一番低い位置から開口している。即ち、第二流入口１２の下端は前記第一流入口１１よりも低く、且つ第二流入口１２の上端が第一流入口１１よりも高い位置に配置されており、第二流入口１２は目皿７の上面（水平方向）及び第一流入口１１に対して上方に向けて傾斜して開口している。尚、第二流入口１２は裏面に後述する弁体１３が取り付けられる取付面１９、及び弁体１３の弁部１４が当接する当接部２０を有しており、当該当接部２０も目皿７の上面（水平方向）及び第一流入口１１に対して傾斜している傾斜面として形成されている。そして、第二流入口１２及び取付面１９、当接部２０の上端は第一流入口１１よりも上方に配置されている。
【００２８】
弁体１３は上記第二流入口１２近傍の裏面に設けられた取付面１９に取り付けられており、比重が１より重い弾性体であるゴム等の軟質部材によって形成されている。弁体１３は弁部１４と固定部１５より構成され、該固定部１５が取付面１９に固定されている。そして、弁体１３がその開閉動作により、後述する弁部１４が前記当接部２０と当接／離間することで、第二流入口１２の逆流防止装置として機能する。即ち、本実施形態においては、弁体１３（弁部１４）と当接部２０によって逆流防止装置が構成されている。
弁部１４は矩形の薄板状にして、可撓性を備えている。尚、図４に示すように、弁部１４は下端側よりも、後述する固定部１５が突設されている上端側付近が肉厚に形成されている。尚、弁部１４は水平方向に対して傾斜して配置されている。
固定部１５は上記弁部１４の上面より上方に向けて２箇所突設されている円筒状部分であり、下端付近において略円錐状に拡径し、抜け止め１６を形成している。又、固定部１５は孔１７に挿通されて、第二流入口１２近傍の取付面１９に取り付けられている。
尚、弁体１３は第二流入口１２に排水が発生しておらず、且つ、下流側より逆流水が生じていない状態（以下、「平時」）において、弁部１４下端が当接部２０より離間している（図２）。即ち、弁体１３は平時において開弁状態を維持する。
又、図５に示すように、弁体１３の弁部１４は開弁時において、下端が封水面の上限高さ（以下、「封水高さＷ」）と略同一であるが、封水とは接触しない程度の高さまで下降している。この時、当接部２０の下端から当該弁部１４の下端までの幅において弁体１３は開閉動作が可能であり、当該弁体１３の開閉動作が可能な幅が開閉幅Ｌ１となる。
ここで、図５に示すように、当接部２０が設けられている傾斜面下端から封水高さＷまでの幅をＬ２とした場合、幅Ｌ１とＬ２の大きさはＬ１＞Ｌ２となる。即ち、弁体１３は傾斜して配置され、且つ傾斜面である当接部２０に当接することによって、封水に浸かることなく従来例よりも前記開閉幅Ｌ１を大きく取ることが可能となっている。尚、弁体１３は比重が１よりも重い部材であるが、封水に浸れば浮力により弁体１３の開口の度合いが変化し、平時においても（封水に浸からない場合に比べ）閉方向に寄ってしまう為、弁体１３が封水に浸からないように開閉度合いを規制する規制機構を設けている。即ち、弁体１３は弾性体により形成されており、当該弾性により開閉度合いを規制する規制機構を構成する。
【００２９】
又、目皿７の外周にはパッキンが取り付けられており、前記第一流入口１１及び第二流入口１２以外からは排水が流入しないように形成されている。
【００３０】
上記の通り、エルボ部材３には上記浴槽排水口５０に対応する第一流入口１１及び浴槽パン排水口５１に対応する第二流入口１２が設けられているが、以下に記載するトラップ本体２５には上記洗い場パン排水口５２に対応する第三流入口２６が設けられている。
【００３１】
図６に示すように、トラップ本体２５は第三流入口２６、椀部２７、枝管流入口２８、流出口２９より構成され、フランジ部材３２、防臭筒３３が取り付けられている。
第三流入口２６は上記洗い場パン排水口５２からの排水が流入する、トラップ本体２５の上方に設けられた開口であって、内部に雌螺子を有し、フランジ部材３２及び防臭筒３３が取り付けられている。
フランジ部材３２は上記洗い場パン排水口５２に取り付けられる円筒状の部材であって、洗い場パンPA（洗い場パン排水口５２）を介してトラップ本体２５と螺合している。
防臭筒３３はフランジ部材３２の内部に取り付けられる略円筒状の部材であって、その下端は後述する椀部２７の底面付近まで到達し、当該椀部２７内に貯留された排水によって封水を形成する封水部３４を構成する。
椀部２７はトラップ本体２５の底面に設けられた有底筒状部分であり、円筒状の壁部３５が立ち上がっており、内部に排水を貯留可能な空間を形成している。又、防臭筒３３の一部が椀部２７に配置されている為、排水貯留時には流路の一部が排水で満たされて封水部３４を形成する。尚、椀部２７と防臭筒３３が封水部３４を形成している際、当該椀部２７（壁部３５）の上端高さが封水の形成される封水面の上限高さ（封水高さＷ）となる。
枝管流入口２８は前記壁部３５の側面に設けられた開口であって、エルボ部材３の枝管流出口５と連通している。従って、浴槽Ｂ及び浴槽パンPB上に生じた排水は当該枝管流入口２８よりトラップ本体２５へと流入する。
流出口２９は前記椀部２７より溢れた排水をさらに下流側の配管へと流出する開口である。
【００３２】
上記排水装置としての排水トラップ１は以下の方法によって設備機器である浴槽Ｂ、浴槽パンPB、洗い場パンPAに取り付けられる。
【００３３】
まず、工場等において、事前に弁体１３の固定部１５を目皿７の孔１７に挿通させ、取付固定する。この時、固定部１５には抜け止め１６が設けられている為、当該挿通のみで固定部１５の取り付けは完了する。
次に、施工現場にて、トラップ本体２５の第三流入口２６を、洗い場パンPAを介してフランジ部材３２と螺合させることによって、トラップ本体２５と洗い場パンPAを固定する。次に、エルボ部材３の枝管流出口５をトラップ本体２５の枝管流入口２８と接着その他の方法によって水密に取り付ける。
又、エルボ部材３を、浴槽パンPBを介してフランジ部材３２と螺合により浴槽パンPBに取付固定する。さらに、トラップ本体２５の流出口２９を更に下流の配管１００と接続させ、排水トラップ１の固定が完了する。
そして、トラップ本体２５の第三流入口２６（フランジ部材３２）に防臭筒３３を、エルボ部材３の開口部４（フランジ部材６）に目皿７をそれぞれ配置する。
当該配置が終了した後に、浴槽パンPB上に浴槽Ｂを載置する。この時、浴槽Ｂの裏側底面に設けられた水密管５５下端のジャバラ状部分が第一流入口１１に当接し、浴槽排水口５０と連結する。又、ジャバラ状部分はゴム等の弾性部材によって成る為、当該載置のみによって水密管５５と第一流入口１１を水密に連結することが可能である。
【００３４】
上記のように取り付けられた本発明の第一実施形態において、各設備機器に発生した排水は以下の流れとなる。
【００３５】
浴槽Ｂ上に排水が発生した場合、浴槽排水口５０より排出された排水は、水密管５５、第一流入口１１、エルボ部材３、エルボ部材３の枝管流出口５を通り、トラップ本体２５の椀部２７内に流入する。椀部２７より溢れた排水は流出口２９より、さらに下流側の配管へと流出する。
【００３６】
浴槽パンPB上に排水が発生した場合、当該排水は第二流入口１２、エルボ部材３、エルボ部材３の枝管流出口５を通り、トラップ本体２５の椀部２７内に流入する。椀部２７より溢れた排水は流出口２９より、さらに下流側の配管へと流出する。
【００３７】
尚、図７に示すように、平時において弁体１３はその下端が自重により封水高さＷと略同一であるが、封水とは接触しない程度の高さまで降下しており、第二流入口１２は開弁状態となっている。従って、第二流入口１２は閉塞されておらず、浴槽パンPB上に発生した排水はスムーズに第二流入口１２を通過することが出来る。
【００３８】
洗い場パンPA上に排水が発生した場合、当該排水は第三流入口２６、防臭筒３３を通り、トラップ本体２５の椀部２７内に流入する。椀部２７より溢れた排水は流出口２９より、さらに下流側の配管へと流出する。
【００３９】
上記各設備機器より流入する排水は、その一部が貯留され、且つ排水流路の一部が排水で満たされることによって封水が形成される。排水装置としての排水トラップ１は、当該封水によってトラップ機能を備え、下水側からの臭気や害虫の逆流を防ぐことが出来る。尚、上記第一実施形態においては、エルボ部材３とトラップ本体２５は椀部２７下端において連通している為、椀部２７及びエルボ部材３内部に排水が貯留される。
この時、椀部２７の上端高さが封水面の上限高さ（封水高さＷ）となる為、エルボ部材３内にも、図５等に示すように、最大で当該封水高さＷまで封水が貯留される。
【００４０】
一方、下流側より排水の逆流が発生した場合、逆流装置としての弁体１３は、以下のように作用する。
【００４１】
弁体１３の下方、即ちエルボ部材３側から排水が逆流した場合、図８に示すように、弁体１３が逆流した排水に付勢されて上昇し、第二流入口１２の当接部２０に当接する。この時、弁体１３と当接部２０の当接によって第二流入口１２が閉塞される為、逆流した排水は第二流入口１２を通過することが出来ず、浴槽パンPB上に排水が溢れ出すことはない。
そして、当該排水の逆流が収まると、弁体１３は自重によって再び下降する。
【００４２】
上記第一実施形態に係る排水装置においては、弁体１３の開閉幅Ｌ１を規制する為の規制機構として、厚み、弾性力等を調整することによって、封水面に触れない程度の高さまでしか下降することが出来ないように形成されている。
弁体１３は比重が１よりも重い部材であるが、封水に浸れば浮力により弁体１３の開口の度合いが変化し、平時においても（封水に浸からない場合に比べ）閉方向に寄ってしまう為、当該規制機構を設けている。
【００４３】
又、上記第一実施形態においては、当接部２０が傾斜して設けられている為、当接部２０が水平に設けられているものに対し、弁体１３の開閉幅Ｌ１を大きく形成することが出来る。従って、低床化に伴い当接部２０が設けられている傾斜面から封水高さＷまでの幅Ｌ２が短くなったとしても、弁体１３の弁部１４を封水に浸すことなく、良好な開閉幅Ｌ１を設けることが可能となる。
尚、当接部２０の傾斜角度θは、０°＜θ＜１８０°であれば良く、特に０°＜θ＜４５°であることが好ましいが、特に限定されるものでは無い。
【００４４】
又、第二流入口１２は第一流入口１１に対して上方に向けて突出する形で傾斜しているが、第一流入口１１から第二流入口１２上端までの高さが、第一流入口１１から浴槽Ｂまでの高さ幅以下に形成されている為、第二流入口１２の傾斜が低床化の妨げとなることはない。
【００４５】
又、第二流入口１２の下端は目皿７上面の内、一番低い位置から開口している為、目皿７上に生じた排水は全て第二流入口１２より流入し、目皿７上に排水が残留することはない。
【００４６】
尚、上記第一実施形態においては、平時において弁体１３が開弁状態となっている為、当接部２０に弁部１４が張り付いてしまうことによる動作不良は生じない。
【００４７】
又、上記第一実施形態においては、固定部１５が弁体１３の上方側に配置されていたが、本発明の固定部１５の配置はこれに限られるものではない。例えば図９乃至図１１に示す第二実施形態のように、固定部１５が弁体１３の下端側に配置されていてもよい。当該第二実施形態においては、弁体１３の開閉幅Ｌ１をより大きく確保することが可能となる。尚、当接部２０が設けられている傾斜面下端から封水高さＷまでの幅Ｌ２を分かり易くする為、図１０においては弁体１３を二点鎖線で記載している。
又、図１２に示す本発明の第三実施形態のように、弁体１３の下端付近及び上端付近に固定部１５を設けて固定してもよい。
【００４８】
又、上記第一実施形態乃至第三実施形態において、弁体１３は比重が１より重い弾性体であるゴム等の軟質部材によって構成されていたが、本発明の弁体１３はこれに限られるものではなく、比重が１より軽くても良く、又、ゴム以外の硬質部材等によって構成されていても良い。
【００４９】
又、上記第一実施形態乃至第三実施形態において、厚み、弾性力等を弁体１３の開閉幅Ｌ１を規制する為の規制機構としていたが、本発明の規制機構はこれに限られるものではない。例えば、図１３に示す本発明の第四実施形態においては、弁体１３は合成樹脂等の硬質材より成り、断面視略「へ」字状に形成されており、回転の軸となる固定部１５によって回動可能に軸止されている。第四実施形態における弁体１３は規制機構となるストッパ４０を弁部１４の上端と連続する箇所に有している。第四実施形態に係る弁体１３においては、弁部１４が所定角度以上下降すると、ストッパ４０が目皿７の裏面に当接し、弁体１３が一定角度以上回動することを規制するように形成されている。
【００５０】
又、上記第一実施形態乃至第四実施形態において、当接部２０は平坦面として形成されていたが、図１４に示す第五実施形態のように、ストッパ４０の、弁部１４が当接する箇所に凸状のリブ部４１を設けても良く、この場合、弁部１４がより水密に閉弁し、且つ逆流が収まった際等に排水の表面張力の影響を受けにくく、再び開弁し易い。
【００５１】
又、上記第一実施形態乃至第五実施形態において、弁体１３は固定部１５が固定され、当該固定部１５を軸として開閉を行う構造であったが、本発明の弁体１３はこれに限られるものでない。例えば図１５に示す第六実施形態のように、断面視略三角形状であって比重が１よりも軽く、浮力により開閉を行う弁体１３のようなフロート式であっても良い。
【符号の説明】
【００５２】
１      排水トラップ
３      エルボ部材
７      目皿
１０    突出部
１１    第一流入口
１２    第二流入口
１３    弁体
１４    弁部
１９    取付面
２０    当接部
２５    トラップ本体
２６    第三流入口
２９    流出口
３４    封水部
４０    ストッパ
５０    浴槽排水口
５１    浴槽パン排水口
５２    洗い場パン排水口
A      洗い場
PA    洗い場パン
B      浴槽
PB    浴槽パン
W    封水高さ
L1    開閉幅
L2    傾斜面下端から封水高さまでの幅
【図１】
0006040354.tif 000002
【図２】
0006040354.tif 000003
【図３】
0006040354.tif 000004
【図４】
0006040354.tif 000005
【図５】
0006040354.tif 000006
【図６】
0006040354.tif 000007
【図７】
0006040354.tif 000008
【図８】
0006040354.tif 000009
【図９】
0006040354.tif 000010
【図１０】
0006040354.tif 000011
【図１１】
0006040354.tif 000012
【図１２】
0006040354.tif 000013
【図１３】
0006040354.tif 000014
【図１４】
0006040354.tif 000015
【図１５】
0006040354.tif 000016
【図１６】
0006040354.tif 000017
【図１７】
0006040354.tif 000018